(57)【要約】基地局が、第１の制御情報および第２の制御情報をユーザ機器に送信する、アップリンクアンテナ選択方法。第１の制御情報は、複数のコンポーネントキャリアのうちの１つについての閉ループ送信アンテナ選択を備えてユーザ機器を構成するための命令を含み、第２の制御情報は、複数のコンポーネントキャリアのうちの他の１つについての開ループ送信アンテナ選択を備えてＵＥを構成するための命令を含む。また、ＵＥは、コンポーネントキャリアごとに、そのＵＥの送信アンテナ切替のための性能のインジケーションを送信しうる。さらに、ＵＥは、基地局から受信した不整合なアンテナ選択トリガを解決するステップを行いうる。【選択図】図２
2014511605.tif 000002
【特許請求の範囲】
【請求項１】
ワイヤレス通信の方法であって、
基地局から第１の制御情報をユーザ機器（ＵＥ）に送信することと、ここにおいて前記第１の制御情報は複数のコンポーネントキャリアのうちの１つについての閉ループ送信アンテナ選択を備えて前記ＵＥを構成するための命令を含む、
前記基地局から第２の制御情報を前記ＵＥに送信することと、ここにおいて前記第２の制御情報は前記複数のコンポーネントキャリアのうちの他の少なくとも１つについての開ループ送信アンテナ選択を備えて前記ＵＥを構成するための命令を含む、
を備える、方法。
【請求項２】
前記複数のコンポーネントキャリアのうちの前記１つがプライマリコンポーネントキャリアを含む、請求項１に記載の方法。
【請求項３】
前記複数のコンポーネントキャリアのうち前記他の少なくとも１つがセカンダリコンポーネントキャリアを含む、請求項２に記載の方法。
【請求項４】
前記基地局で、キャリアアグリゲーション内のコンポーネントキャリアごとに、前記ＵＥの送信アンテナ切替のための性能のインジケーションを受信することをさらに含む、請求項１に記載の方法。
【請求項５】
ワイヤレス通信のために構成された装置であって、
基地局から第１の制御情報をユーザ機器（ＵＥ）に送信する手段と、ここにおいて前記第１の制御情報は複数のコンポーネントキャリアのうちの１つについての閉ループ送信アンテナ選択を備えて前記ＵＥを構成するための命令を含む、
前記基地局から第２の制御情報を前記ＵＥに送信する手段と、ここにおいて前記第２の制御情報は前記複数のコンポーネントキャリアのうちの他の少なくとも１つについての開ループ送信アンテナ選択を備えて前記ＵＥを構成するための命令を含む、
を備える、装置。
【請求項６】
前記複数のコンポーネントキャリアのうちの前記１つがプライマリコンポーネントキャリアを含む、請求項５に記載の装置。
【請求項７】
前記複数のコンポーネントキャリアのうち前記他の少なくとも１つがセカンダリコンポーネントキャリアを含む、請求項６に記載の装置。
【請求項８】
前記基地局で、キャリアアグリゲーション内のコンポーネントキャリアごとに、前記ＵＥの送信アンテナ切替のための性能のインジケーションを受信する手段をさらに含む、請求項５に記載の装置。
【請求項９】
ワイヤレスネットワークにおけるワイヤレス通信のためのコンピュータプログラム製品であって、
記録されたプログラムコードを有する非一時的なコンピュータ可読媒体を備え、前記プログラムコードは、
基地局から第１の制御情報をユーザ機器（ＵＥ）に送信するプログラムコードと、ここにおいて前記第１の制御情報は複数のコンポーネントキャリアのうちの１つについての閉ループ送信アンテナ選択を備えて前記ＵＥを構成するための命令を含む、
前記基地局から第２の制御情報を前記ＵＥに送信するプログラムコードと、ここにおいて前記第２の制御情報は前記複数のコンポーネントキャリアのうちの他の少なくとも１つについての開ループ送信アンテナ選択を備えて前記ＵＥを構成するための命令を含む、
を備える、コンピュータプログラム製品。
【請求項１０】
ワイヤレス通信のために構成された装置であって、
少なくとも１つのプロセッサと、
前記少なくとも１つのプロセッサに結合されたメモリと
を備え、前記少なくとも１つのプロセッサは、
基地局から第１の制御情報をユーザ機器（ＵＥ）に送信することと、ここにおいて前記第１の制御情報は複数のコンポーネントキャリアのうちの１つについての閉ループ送信アンテナ選択を備えて前記ＵＥを構成するための命令を含む、
前記基地局から第２の制御情報を前記ＵＥに送信することと、ここにおいて前記第２の制御情報は前記複数のコンポーネントキャリアのうちの他の少なくとも１つについての開ループ送信アンテナ選択を備えて前記ＵＥを構成するための命令を含む、
を行うように構成されたプロセッサを備える、装置。
【請求項１１】
ワイヤレス通信の方法であって、
ユーザ機器（ＵＥ）で第１の制御情報を受信することと、ここにおいて前記第１の制御情報は複数のコンポーネントキャリアのうちの１つについての閉ループ送信アンテナ選択を備えて前記ＵＥを構成するための命令を含む、
前記ＵＥで第２の制御情報を受信することと、ここにおいて前記第２の制御情報は前記複数のコンポーネントキャリアのうちの他の少なくとも１つについての開ループ送信アンテナ選択を備えて前記ＵＥを構成するための命令を含む、
を備える方法。
【請求項１２】
前記複数のコンポーネントキャリアのうちの前記１つが、プライマリコンポーネントキャリアを含む、請求項１１に記載の方法。
【請求項１３】
前記複数のコンポーネントキャリアのうち前記他の少なくとも１つがセカンダリコンポーネントキャリアを含む、請求項１２に記載の方法。
【請求項１４】
前記ＵＥから、キャリアアグリゲーション内のコンポーネントキャリアごとに、前記ＵＥの送信アンテナ切替のための性能のインジケーションを送信することをさらに含む、請求項１１に記載の方法。
【請求項１５】
ワイヤレス通信のために構成された装置であって、
ユーザ機器（ＵＥ）で第１の制御情報を受信する手段と、ここにおいて前記第１の制御情報は複数のコンポーネントキャリアのうちの１つについての閉ループ送信アンテナ選択を備えて前記ＵＥを構成するための命令を含む、
前記ＵＥにおいて、第２の制御情報を受信する手段と、ここにおいて前記第２の制御情報は前記複数のコンポーネントキャリアのうちの他の少なくとも１つについての開ループ送信アンテナ選択を備えて前記ＵＥを構成するための命令を含む、
を備える装置。
【請求項１６】
前記複数のコンポーネントキャリアのうちの前記１つがプライマリコンポーネントキャリアを含む、請求項１５に記載の装置。
【請求項１７】
前記複数のコンポーネントキャリアのうち前記他の少なくとも１つがセカンダリコンポーネントキャリアを含む、請求項１６に記載の装置。
【請求項１８】
前記ＵＥから、キャリアアグリゲーション内のコンポーネントキャリアごとに、前記ＵＥの送信アンテナ切替のための性能のインジケーションを送信する手段をさらに含む、請求項１５に記載の装置。
【請求項１９】
ワイヤレスネットワークにおけるワイヤレス通信のためのコンピュータプログラム製品であって、
記録されたプログラムコードを有する非一時的なコンピュータ可読媒体を備え、前記プログラムコードは、
ユーザ機器（ＵＥ）において、第１の制御情報を受信するプログラムコードと、ここにおいて前記第１の制御情報は複数のコンポーネントキャリアのうちの１つについての閉ループ送信アンテナ選択を備えて前記ＵＥを構成するための命令を含む、
前記ＵＥにおいて、第２の制御情報を受信するプログラムコードと、ここにおいて前記第２の制御情報は前記複数のコンポーネントキャリアのうちの他の少なくとも１つについての開ループ送信アンテナ選択を備えて前記ＵＥを構成するための命令を含む、
を備えるコンピュータプログラム製品。
【請求項２０】
ワイヤレス通信のために構成された装置であって、
少なくとも１つのプロセッサと、
前記少なくとも１つのプロセッサに結合されたメモリと
を備え、前記少なくとも１つのプロセッサは、
ユーザ機器（ＵＥ）で第１の制御情報を受信することと、ここにおいて前記第１の制御情報は複数のコンポーネントキャリアのうちの１つについての閉ループ送信アンテナ選択を備えて前記ＵＥを構成するための命令を含む、
前記ＵＥで第２の制御情報を受信することと、ここにおいて前記第２の制御情報は前記複数のコンポーネントキャリアのうちの他の少なくとも１つについての開ループ送信アンテナ選択を備えて前記ＵＥを構成するための命令を含む、
を行うように構成されたプロセッサを備える装置。
【請求項２１】
ワイヤレス通信の方法であって、
キャリアアグリゲーションのために構成されたユーザ機器（ＵＥ）で、前記キャリアアグリゲーション内のコンポーネントキャリアごとに、前記ＵＥの送信アンテナ切替のための性能のインジケーションを生成することと、
前記インジケーションを基地局に送信することと、を備える方法。
【請求項２２】
前記ＵＥで前記基地局からの制御情報を受信することをさらに含み、ここにおいて前記制御情報が、前記ＵＥの性能の前記インジケーションに少なくとも部分的に基づく、前記ＵＥのための送信アンテナ選択を含む、請求項２１に記載の方法。
【請求項２３】
前記送信アンテナ選択が、コンポーネントキャリアごとに、独立したアンテナ選択を含む、請求項２１に記載の方法。
【請求項２４】
前記キャリアアグリゲーションが帯域間キャリアアグリゲーション構成を含む、請求項２３に記載の方法。
【請求項２５】
前記送信アンテナ選択が前記キャリアアグリゲーション内のすべてのコンポーネントキャリアの同時的アンテナ切替を含む、請求項２２に記載の方法。
【請求項２６】
前記キャリアアグリゲーションが帯域内キャリアアグリゲーション構成を含む、請求項２５に記載の方法。
【請求項２７】
ワイヤレス通信のために構成された装置であって、
キャリアアグリゲーションのために構成されたユーザ機器（ＵＥ）で、前記キャリアアグリゲーション内のコンポーネントキャリアごとに、前記ＵＥの送信アンテナ切替のための性能のインジケーションを生成する手段と、
前記インジケーションを基地局に送信する手段と、を備える装置。
【請求項２８】
前記ＵＥで前記基地局からの制御情報を受信する手段をさらに含み、ここにおいて前記制御情報が、前記ＵＥの性能の前記インジケーションに少なくとも部分的に基づく、前記ＵＥのための送信アンテナ選択を含む、請求項２７に記載の装置。
【請求項２９】
前記送信アンテナ選択が、コンポーネントキャリアごとに、独立したアンテナ選択を含む、請求項２７に記載の装置。
【請求項３０】
前記キャリアアグリゲーションが帯域間キャリアアグリゲーション構成を含む、請求項２９に記載の装置。
【請求項３１】
前記送信アンテナ選択が前記キャリアアグリゲーション内のすべてのコンポーネントキャリアの同時的アンテナ切替を含む、請求項２８に記載の装置。
【請求項３２】
前記キャリアアグリゲーションが帯域内キャリアアグリゲーション構成を含む、請求項３１に記載の装置。
【請求項３３】
ワイヤレスネットワークにおけるワイヤレス通信のためのコンピュータプログラム製品であって、
記録されたプログラムコードを有する非一時的なコンピュータ可読媒体を備え、前記プログラムコードは、
キャリアアグリゲーションのために構成されたユーザ機器（ＵＥ）で、前記キャリアアグリゲーション内のコンポーネントキャリアごとに、前記ＵＥの送信アンテナ切替のための性能のインジケーションを生成するプログラムコードと、
インジケーションを基地局に送信するプログラムコードコードと、
を含む、プログラムコードを備える、コンピュータプログラム製品。
【請求項３４】
ワイヤレス通信のために構成された装置であって、
少なくとも１つのプロセッサと、
前記少なくとも１つのプロセッサに結合されたメモリと、
を備え、前記少なくとも１つのプロセッサは、
キャリアアグリゲーションのために構成されたユーザ機器（ＵＥ）で、前記キャリアアグリゲーション内のコンポーネントキャリアごとに、前記ＵＥの送信アンテナ切替のための性能のインジケーションを生成することと、
前記インジケーションを基地局に送信することと、
を行うように構成されたプロセッサを備える装置。
【請求項３５】
ワイヤレス通信のための方法であって、
基地局で、キャリアアグリゲーション内のコンポーネントキャリアごとに、ユーザ機器（ＵＥ）のアンテナ切替性能のインジケーションを受信することと、
前記基地局で、前記ＵＥの性能の前記インジケーションに少なくとも部分的に基づく、前記ＵＥのための送信アンテナ選択を決定することと、を備える方法。
【請求項３６】
前記基地局から、前記ＵＥの性能の前記インジケーションに少なくとも部分的に基づく、前記ＵＥのための前記送信アンテナ選択を含む制御情報を送信することをさらに含む請求項３５に記載の方法。
【請求項３７】
前記送信アンテナ選択が、前記キャリアアグリゲーション内のコンポーネントキャリアごとの独立したアンテナ切替を含む、請求項３６に記載の方法。
【請求項３８】
前記キャリアアグリゲーションが帯域間キャリアアグリゲーション構成を含む、請求項３７に記載の方法。
【請求項３９】
前記送信アンテナ選択が前記キャリアアグリゲーション内のすべてのコンポーネントキャリアの同時的アンテナ切替を含む、請求項３６に記載の方法。
【請求項４０】
前記キャリアアグリゲーションが帯域内キャリアアグリゲーション構成を含む、請求項３９に記載の方法。
【請求項４１】
ワイヤレス通信のために構成された装置であって、
基地局で、キャリアアグリゲーション内のコンポーネントキャリアごとに、ユーザ機器（ＵＥ）のアンテナ切替性能のインジケーションを受信する手段と、
前記基地局で、前記ＵＥの性能の前記インジケーションに少なくとも部分的に基づく、前記ＵＥのための送信アンテナ選択を決定する手段と、を備える装置。
【請求項４２】
前記基地局から、前記ＵＥの性能の前記インジケーションに少なくとも部分的に基づく、前記ＵＥのための前記送信アンテナ選択を含む制御情報を送信することをさらに含む請求項４１に記載の装置。
【請求項４３】
前記送信アンテナ選択が前記キャリアアグリゲーション内のコンポーネントキャリアごとの独立したアンテナ切替を含む、請求項４２に記載の装置。
【請求項４４】
前記キャリアアグリゲーションが帯域間キャリアアグリゲーション構成を含む、請求項４３に記載の装置。
【請求項４５】
前記送信アンテナ選択が前記キャリアアグリゲーション内のすべてのコンポーネントキャリアの同時的アンテナ切替を含む、請求項４２に記載の装置。
【請求項４６】
前記キャリアアグリゲーションが帯域内キャリアアグリゲーション構成を含む、請求項４１に記載の装置。
【請求項４７】
ワイヤレスネットワークにおけるワイヤレス通信のためのコンピュータプログラム製品であって、
記録されたプログラムコードを有する非一時的なコンピュータ可読媒体を備え、前記プログラムコードは、
基地局で、キャリアアグリゲーション内のコンポーネントキャリアごとに、ユーザ機器（ＵＥ）のアンテナ切替性能のインジケーションを受信するプログラムコードと、
前記基地局で、前記ＵＥの性能の前記インジケーションに少なくとも部分的に基づく、前記ＵＥのための送信アンテナ選択を決定するプログラムコードと、
を含む、プログラムコードを備える、コンピュータプログラム製品。
【請求項４８】
ワイヤレス通信のために構成された装置であって、
少なくとも１つのプロセッサと、
前記少なくとも１つのプロセッサに結合されたメモリと、
を備え、前記少なくとも１つのプロセッサは、
基地局で、キャリアアグリゲーション内のコンポーネントキャリアごとに、ユーザ機器（ＵＥ）のアンテナ切替性能のインジケーションを受信することと、
前記基地局で、前記ＵＥの性能の前記インジケーションに少なくとも部分的に基づく、前記ＵＥのための送信アンテナ選択を決定することと、
を行うように構成されたプロセッサを備える装置。
【請求項４９】
ワイヤレス通信の方法であって、
ユーザ機器（ＵＥ）で少なくとも１つの基地局からの複数のアンテナ選択割当を受信することと、
前記受信された複数のアンテナ選択割当を不整合について評価することと、
前記不整合の発見に対応して、前記ＵＥで複数のコンポーネントキャリアのうち少なくとも１つについてのアップリンク送信のためのアンテナ選択を決定することと、を備える方法。
【請求項５０】
前記決定することが、すべてのアンテナ選択割当を無視すること、およびアップリンク送信を行わないことを含む、請求項４９に記載の方法。
【請求項５１】
前記決定することが、前記コンポーネントキャリアのうち少なくとも１つに、前記受信された複数のアンテナ選択割当とは異なるアンテナ選択でアップリンク送信を行うことを含む、請求項４９に記載の方法。
【請求項５２】
前記決定することが前記複数のアンテナ選択割当のうち不整合なものを無視することを含む、請求項４９に記載の方法。
【請求項５３】
前記決定することが、
前記複数のアンテナ選択割当の大半で識別されるアンテナポートを決定することと、
前記決定されたアンテナポートを前記アップリンク送信のために選択することと、を含む請求項４９に記載の方法。
【請求項５４】
前記決定することが、前記複数のコンポーネントキャリアの優先コンポーネントキャリアと関連付けられたアンテナポートを選択することを含む、請求項４９に記載の方法。
【請求項５５】
前記決定することが、既定のアンテナポートを選択することを含む、請求項４９に記載の方法。
【請求項５６】
ワイヤレス通信のために構成された装置であって、
ユーザ機器（ＵＥ）で少なくとも１つの基地局からの複数のアンテナ選択割当を受信する手段と、
前記受信された複数のアンテナ選択割当を不整合について評価する手段と、
ＵＥで、不整合の発見に対応して、複数のコンポーネントキャリアのうち少なくとも１つについてのアップリンク送信のためのアンテナ選択を決定する手段と、
を含む装置。
【請求項５７】
前記決定する手段が、すべてのアンテナ選択割当を無視する手段、およびアップリンク送信を行わない手段を含む、請求項５６に記載の装置。
【請求項５８】
前記決定する手段が、前記コンポーネントキャリアのうち少なくとも１つに、前記受信された複数のアンテナ選択割当とは異なるアンテナ選択でアップリンク送信を行う手段を含む、請求項５６に記載の装置。
【請求項５９】
前記決定する手段が、前記複数のアンテナ選択割当のうち不整合なものを無視する手段を含む、請求項５６に記載の装置。
【請求項６０】
請求項５６に記載の装置であって、前記決定する手段が、
前記複数のアンテナ選択割当の大半で識別されるアンテナポートを決定する手段と、
前記決定されたアンテナポートを前記アップリンク送信のために選択する手段と、を含む装置。
【請求項６１】
前記決定する手段が、前記複数のコンポーネントキャリアの優先コンポーネントキャリアと関連付けられたアンテナポートを選択する手段を含む、請求項５６に記載の装置。
【請求項６２】
前記決定する手段が、既定のアンテナポートを選択する手段を含む、請求項５６に記載の装置。
【請求項６３】
ワイヤレスネットワークにおけるワイヤレス通信のためのコンピュータプログラム製品であって、
記録されたプログラムコードを有する非一時的なコンピュータ可読媒体を備え、前記プログラムコードは、
ユーザ機器（ＵＥ）で少なくとも１つの基地局からの複数のアンテナ選択割当を受信するプログラムコードと、
前記受信された複数のアンテナ選択割当を不整合について評価するプログラムコードと、
前記不整合の発見に対応して、前記ＵＥで複数のコンポーネントキャリアのうち少なくとも１つについてのアップリンク送信のためのアンテナ選択を決定するプログラムコードと、
を備える、コンピュータプログラム製品。
【請求項６４】
ワイヤレス通信のために構成された装置であって、
少なくとも１つのプロセッサと、
前記少なくとも１つのプロセッサに結合されたメモリと、
を備え、前記少なくとも１つのプロセッサは、
ユーザ機器（ＵＥ）で少なくとも１つの基地局からの複数のアンテナ選択割当を受信することと、
前記受信された複数のアンテナ選択割当を不整合について評価することと、
前記不整合の発見に対応して、前記ＵＥで複数のコンポーネントキャリアのうち少なくとも１つについてのアップリンク送信のためのアンテナ選択を決定することと、を行うように構成されたプロセッサを備える装置。
【発明の詳細な説明】
【関連出願】
【０００１】
本出願は、２０１１年２月２２日に出願された米国仮出願番号第６１／４４５，４８５号の利益を主張し、その全体において参照によりここに組み込まれる。
【技術分野】
【０００２】
本開示の態様は、概してワイヤレス通信システムに関し、より詳細にはキャリアアグリゲーション内のアップリンク送信アンテナ選択に関する。
【背景技術】
【０００３】
ワイヤレス通信ネットワークは、音声、ビデオ、パケットデータ、メッセージング、ブロードキャストなどといった、様々な通信サービスを提供するために広く展開されている。これらのワイヤレスネットワークは、利用可能なネットワークリソースを共有することによって、複数のユーザをサポートできる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、および単一キャリアＦＤＭＡ（ＳＣ−ＦＤＭＡ）ネットワークを含む。
【０００４】
ワイヤレス通信ネットワークは、多数のユーザ機器（ＵＥ）のための通信をサポートできる多数の基地局を含みうる。ＵＥは、ダウンリンクおよびアップリンクを介して、基地局と通信しうる。ダウンリンク（すなわち、フォワードリンク）は、基地局からＵＥへの通信リンクを指し、アップリンク（すなわち、リバースリンク）は、ＵＥから基地局への通信リンクを指す。
【０００５】
ＬＴＥ−アドバンスドは、各方向における送信に使用される合計１００Ｍｈｚ（５つのコンポーネントキャリア）までのキャリアアグリゲーションにおいて割付けられる２０Ｍｈｚ帯域幅の中でスペクトルを使用しうる。概して、ダウンリンクよりも少ないトラフィックがアップリンク上で送信されるので、アップリンクスペクトル割付は、ダウンリンク割付よりも小さくなりうる。例えば、２０Ｍｈｚがアップリンクに割当てられた場合、ダウンリンクは、１００Ｍｈｚを割当てられうる。これらの非対称ＦＤＤ割当は、スペクトルを節約し、ブロードバンド加入者による典型的に非対称な帯域幅利用に適している。
【０００６】
ＬＴＥ  Ｒｅｌ−８／９では、アップリンク（ＵＬ）送信アンテナ選択（ＴＡＳ）がサポートされており、そこでは、ＵＥが、所与の時間に、複数のアンテナのうち１つを使用する。また、ＬＴＥ−アドバンスド  Ｒｅｌ−１０は、ＵＬ多入力多出力（ＭＩＭＯ：multiple-input multiple-output）をサポートする。
【発明の概要】
【０００７】
本開示の代表的態様は、ＬＴＥ  Ｒｅｌ−８／９によってサポートされるＵＬ  ＴＡＳ特性とＬＴＥ−アドバンスド  Ｒｅｌ−１０によってサポートされるＭＩＭＯ特性とを活用するワイヤレス通信スキームを対象とする。１つの態様によれば、スキームは、開ループ構成および閉ループ構成の組合せを通じて動作し、ＵＥは、１）基地局から受信したアンテナ選択トリガまたは割当と２）そのＵＥによってなされた１つ以上の決定とに基づいて、アップリンク送信のための１つ以上のアンテナポートを選択する。
【０００８】
本開示の１つの態様では、ＵＬ  ＴＡＳが行われ、そこでは、１つ以上の基地局から受信された様々なアンテナ選択割当に対応して、ＵＥがそのアンテナポートを１つ以上のコンポーネントキャリアに割当てる。このＵＥは、１つ以上のコンポーネントキャリアのための、適切なまたは最適なアンテナポートを選択するために、様々なアンテナ選択割当を受信し、受信した割当の間の不整合(inconsistency)を識別し、その不整合を解決する。
【０００９】
本開示の別の態様では、関連付けられた基地局によるＵＬ  ＴＡＳの割当が、ＵＥの性能に従って有効になる。ＵＥは、そのＵＥのキャリアアグリゲーション内のコンポーネントキャリアごとに、そのＵＥの送信アンテナ切替のための性能のインジケーション(indication)を送信する。それへの対応として、基地局は、ＵＥの性能のインジケーションに少なくとも部分的に基づく、ＵＥのための送信アンテナ選択を含む制御情報を送信しうる。
【００１０】
本開示の別の態様では、ＵＬ  ＴＡＳが、ＵＥのキャリアアグリゲーションを備えるコンポーネントキャリアの構成に応じて、異なる形式で有効(enable)になりうる。ＵＥのキャリアアグリゲーションを備えるコンポーネントキャリアが連続または互いに隣接しており、ＵＥによって単一の電力増幅器（ＰＡ）が利用される場合、ＵＬ  ＴＡＳは、キャリアアグリゲーション内のすべてのコンポーネントキャリアにとって同じように構成されうる。他方で、ＵＥのキャリアアグリゲーションを備えるコンポーネントキャリアが非連続、すなわち周波数において互いに分離されており、異なるコンポーネントキャリアに異なるＰＡを利用する場合、ＵＬ  ＴＡＳは、キャリアアグリゲーション内のコンポーネントキャリアにとって独立的に構成されうる。
【００１１】
本開示の別の態様では、ワイヤレス通信の方法が、基地局から第１の制御情報をユーザ機器（ＵＥ）に送信することを含み、ここにおいて第１の制御情報は複数のコンポーネントキャリアのうちの１つについての閉ループ送信アンテナ選択を備えてＵＥを構成するための命令を含む。この方法はまた、基地局から第２の制御情報をＵＥに送信することを含み、ここにおいて第２の制御情報は複数のコンポーネントキャリアのうちの他の少なくとも１つについての開ループ送信アンテナ選択を備えてＵＥを構成するための命令を含む。
【００１２】
本開示の別の態様では、ワイヤレス通信のために構成された装置が、基地局から第１の制御情報をユーザ機器（ＵＥ）に送信する手段を含み、ここにおいて第１の制御情報は複数のコンポーネントキャリアのうちの１つについての閉ループ送信アンテナ選択を備えてＵＥを構成するための命令を含む。この装置はまた、基地局から第２の制御情報をＵＥに送信する手段を含み、ここにおいて第２の制御情報は複数のコンポーネントキャリアのうちの他の少なくとも１つについての開ループ送信アンテナ選択を備えてＵＥを構成するための命令を含む。
【００１３】
本開示の別の態様では、ワイヤレスネットワークにおけるワイヤレス通信のためのコンピュータプログラム製品が、プログラムコードが記録された、非一時的なコンピュータ可読媒体を含む。このプログラムコードは、基地局から第１の制御情報をユーザ機器（ＵＥ）に送信するコードを含み、ここにおいて第１の制御情報は複数のコンポーネントキャリアのうちの１つについての閉ループ送信アンテナ選択を備えてＵＥを構成するための命令を含む。このプログラムコードはまた、基地局から第２の制御情報をＵＥに送信するコードを含み、ここにおいて第２の制御情報は複数のコンポーネントキャリアのうちの他の少なくとも１つについての開ループ送信アンテナ選択を備えてＵＥを構成するための命令を含む。
【００１４】
本開示の別の態様では、ワイヤレス通信のために構成された装置は、少なくとも１つのプロセッサと、そのプロセッサと結合しているメモリとを含む。このプロセッサは、基地局から第１の制御情報をユーザ機器（ＵＥ）に送信するように構成され、ここにおいて第１の制御情報は複数のコンポーネントキャリアのうちの１つについての閉ループ送信アンテナ選択を備えてＵＥを構成するための命令を含む。このプロセッサはまた、基地局から第２の制御情報をＵＥに送信するように構成され、ここにおいて第２の制御情報は複数のコンポーネントキャリアのうちの他の少なくとも１つについての開ループ送信アンテナ選択を備えてＵＥを構成するための命令を含む。
【００１５】
本開示の別の態様では、ワイヤレス通信の方法が、ユーザ機器（ＵＥ）で、第１の制御情報を受信することを含み、ここにおいて第１の制御情報は複数のコンポーネントキャリアのうちの１つについての閉ループ送信アンテナ選択を備えてＵＥを構成するための命令を含む。この方法はまた、ＵＥで第２の制御情報を受信することを含み、ここにおいて第２の制御情報は複数のコンポーネントキャリアのうちの他の少なくとも１つについての開ループ送信アンテナ選択を備えてＵＥを構成するための命令を含む。
【００１６】
本開示の別の態様では、ワイヤレス通信のために構成された装置が、ユーザ機器（ＵＥ）で第１の制御情報を受信する手段を含み、第１の制御情報は複数のコンポーネントキャリアのうちの１つについての閉ループ送信アンテナ選択を備えてＵＥを構成するための命令を含む。この装置はまた、ＵＥで第２の制御情報を受信する手段を含み、ここにおいて第２の制御情報は複数のコンポーネントキャリアのうちの他の少なくとも１つについての開ループ送信アンテナ選択を備えてＵＥを構成するための命令を含む。
【００１７】
本開示の別の態様では、ワイヤレスネットワークにおけるワイヤレス通信のためのコンピュータプログラム製品が、プログラムコードが記録された、非一時的なコンピュータ可読媒体を含む。このプログラムコードは、ユーザ機器（ＵＥ）で第１の制御情報を受信するコードを含み、ここにおいて第１の制御情報は複数のコンポーネントキャリアのうちの１つについての閉ループ送信アンテナ選択を備えてＵＥを構成するための命令を含む。このプログラムコードはまた、ＵＥで第２の制御情報を受信するプログラムコードを含み、ここにおいて第２の制御情報は複数のコンポーネントキャリアのうちの他の少なくとも１つについての開ループ送信アンテナ選択を備えてＵＥを構成するための命令を含む。
【００１８】
本開示の別の態様では、ワイヤレス通信のために構成された装置が、少なくとも１つのプロセッサと、そのプロセッサと結合しているメモリとを含む。このプロセッサは、ユーザ機器（ＵＥ）で第１の制御情報を受信するように構成され、ここにおいて第１の制御情報は複数のコンポーネントキャリアのうちの１つについての閉ループ送信アンテナ選択を備えてＵＥを構成するための命令を含む。このプロセッサはまた、第２の制御情報のために構成され、ＵＥで第２の制御情報を受信するもので、ここにおいて第２の制御情報は複数のコンポーネントキャリアのうちの他の少なくとも１つについての開ループ送信アンテナ選択を備えてＵＥを構成するための命令を含む。
【００１９】
本開示の別の態様では、ワイヤレス通信の方法が、キャリアアグリゲーションのために構成されたユーザ機器（ＵＥ）で、キャリアアグリゲーション内のコンポーネントキャリアごとに、ＵＥの送信アンテナ切替のための性能のインジケーションを生成することを含む。この方法はまた、インジケーションを基地局に送信することを含む。
【００２０】
本開示の別の態様では、ワイヤレス通信のために構成された装置が、キャリアアグリゲーションのために構成されたユーザ機器（ＵＥ）で、キャリアアグリゲーション内のコンポーネントキャリアごとに、ＵＥの送信アンテナ切替のための性能のインジケーションを生成する手段を含む。この装置はまた、インジケーションを基地局に送信する手段を含む。
【００２１】
本開示の別の態様では、ワイヤレスネットワークにおけるワイヤレス通信のためのコンピュータプログラム製品が、プログラムコードが記録された、非一時的なコンピュータ可読媒体を含む。このプログラムコードは、キャリアアグリゲーションのために構成されたユーザ機器（ＵＥ）で、キャリアアグリゲーション内のコンポーネントキャリアごとに、ＵＥの送信アンテナ切替のための性能のインジケーションを生成するコードを含む。このプログラムコードは、インジケーションを基地局に送信するコードを含む。
【００２２】
本開示の別の態様では、ワイヤレス通信のために構成された装置が、少なくとも１つのプロセッサと、その少なくとも１つのプロセッサと結合しているメモリとを含む。このプロセッサは、キャリアアグリゲーションのために構成されたユーザ機器（ＵＥ）で、キャリアアグリゲーション内のコンポーネントキャリアごとに、ＵＥの送信アンテナ切替のための性能のインジケーションを生成するように構成される。このプロセッサは、インジケーションを基地局に送信するように構成される。
【００２３】
本開示の別の態様では、ワイヤレス通信のための方法が、基地局で、キャリアアグリゲーション内のコンポーネントキャリアごとに、ユーザ機器（ＵＥ）のアンテナ切替性能のインジケーションを受信することを含む。この方法はまた、基地局で、ＵＥの性能のインジケーションに少なくとも部分的に基づく、ＵＥのための送信アンテナ選択を決定することを含む。
【００２４】
本開示の別の態様では、ワイヤレス通信のために構成された装置が、基地局で、キャリアアグリゲーション内のコンポーネントキャリアごとに、ユーザ機器（ＵＥ）のアンテナ切替性能のインジケーションを受信する手段を含む。この装置はまた、基地局で、ＵＥの性能のインジケーションに少なくとも部分的に基づく、ＵＥのための送信アンテナ選択を決定する手段を含む。
【００２５】
本開示の別の態様では、ワイヤレスネットワークにおけるワイヤレス通信のためのコンピュータプログラム製品が、プログラムコードが記録された、非一時的なコンピュータ可読媒体を含む。このプログラムコードは、基地局で、キャリアアグリゲーション内のコンポーネントキャリアごとに、ユーザ機器（ＵＥ）のアンテナ切替性能のインジケーションを受信するコードを含む。このプログラムコードはまた、ＵＥの性能のインジケーションに少なくとも部分的に基づく、ＵＥのための送信アンテナ選択を基地局で決定するコードを含む。
【００２６】
本開示の別の態様では、ワイヤレス通信のために構成された装置が、少なくとも１つのプロセッサと、そのプロセッサと結合しているメモリとを含む。このプロセッサは、基地局で、キャリアアグリゲーション内のコンポーネントキャリアごとに、ユーザ機器（ＵＥ）のアンテナ切替性能のインジケーションを受信するように構成される。このプロセッサはまた、ＵＥの性能のインジケーションに少なくとも部分的に基づく、ＵＥのための送信アンテナ選択を基地局で決定するように構成される。
【００２７】
本開示の別の態様では、ワイヤレス通信の方法が、ユーザ機器（ＵＥ）で少なくとも１つの基地局からの複数のアンテナ選択割当を受信することを含む。この方法はまた、受信された複数のアンテナ選択割当を不整合について評価することを含む。この方法はさらに、不整合の発見に対応して、複数のコンポーネントキャリアのうち少なくとも１つについてのアップリンク送信のためのアンテナ選択をＵＥで決定することを含む。
【００２８】
本開示の別の態様では、ワイヤレス通信のために構成された装置が、少なくとも１つの基地局からの複数のアンテナ選択割当をユーザ機器（ＵＥ）で受信する手段を含む。この装置はまた、受信された複数のアンテナ選択割当を不整合について評価する手段を含む。この装置はさらに、不整合の発見に対応して、複数のコンポーネントキャリアのうち少なくとも１つについてのアップリンク送信のためのアンテナ選択をＵＥで決定する手段を含む。
【００２９】
本開示の別の態様では、ワイヤレスネットワークにおけるワイヤレス通信のためのコンピュータプログラム製品が、プログラムコードが記録された、非一時的なコンピュータ可読媒体を含む。このプログラムコードは、少なくとも１つの基地局からの複数のアンテナ選択割当をユーザ機器（ＵＥ）で受信するコードを含む。このプログラムコードはまた、受信された複数のアンテナ選択割当を不整合について評価するコードを含む。このプログラムコードはさらに、不整合の発見に対応して、複数のコンポーネントキャリアのうち少なくとも１つについてのアップリンク送信のためのアンテナ選択をＵＥで決定するコードを含む。
【００３０】
本開示の別の態様では、ワイヤレス通信のために構成された装置が、少なくとも１つのプロセッサと、その少なくとも１つのプロセッサと結合しているメモリとを含む。このプロセッサは、少なくとも１つの基地局からの複数のアンテナ選択割当をユーザ機器（ＵＥ）で受信するように構成される。プロセッサはまた、受信された複数のアンテナ選択割当を不整合について評価するように構成される。プロセッサはさらに、不整合の発見に対応して、複数のコンポーネントキャリアのうち少なくとも１つについてのアップリンク送信のためのアンテナ選択をＵＥで決定するように構成される。
【００３１】
本開示の様々な他の態様および特徴が以下においてさらに詳細に説明される。
【図面の簡単な説明】
【００３２】
【図１】図１は、テレコミュニケーションシステムの例を示すブロック図である。
【図２】図２は、キャリアアグリゲーション（ＣＡ）構成を示すブロック図である。
【図３】図３は、本開示の１つの態様に従って構成される基地局／ｅＮＢとＵＥの設計を示すブロック図である。
【図４】図４は、本開示の１つの態様に従う、ワイヤレス通信のための装置を示すブロック図である。
【図５】図５は、本開示の１つの態様を実装するように実行される例示的なブロックを示す機能ブロック図である。
【図６】図６は、本開示の１つの態様に従って構成されるワイヤレス通信装置のブロック図表現である。
【図７】図７は、本開示の１つの態様を実装するように実行される例示的なブロックを示す機能ブロック図である。
【図８】図８は、本開示の１つの態様に従って構成されるワイヤレス通信装置のブロック図表現である。
【図９】図９は、本開示の１つの態様を実装するように実行される例示的なブロックを示す機能ブロック図である。
【図１０】図１０は、本開示の１つの態様に従って構成されるワイヤレス通信装置のブロック図表現である。
【図１１】図１１は、本開示の１つの態様を実装するように実行される例示的なブロックを示すブロック図である。
【図１２】図１２は、本開示の１つの態様に従う、ＵＥのための単一電力増幅器設計を示すブロック図である。
【発明を実施するための形態】
【００３３】
添付の図面に関連して以下に述べられる詳細な説明は、様々な構成の説明を意図したものであり、本明細書において説明される概念が実施されうる、唯一の構成を表すことを意図したものではない。詳細な説明は、様々な概念の徹底した理解を提供する目的のために具体的な詳細を含む。しかしながら、これら概念が、これら具体的な詳細なしで実施されうることは、当業者にとって明らかとなろう。いくつかの事例では、周知の構造およびコンポーネントが、こうした概念を不明確にすることを回避するために、ブロック図形式で示されている。
【００３４】
本明細書において説明される技法は、ＣＤＭＡ、ＴＤＭＡ、ＦＤＭＡ、ＯＦＤＭＡ、ＳＣ−ＦＤＭＡおよびその他のネットワークといった、様々なワイヤレス通信ネットワークに使用されうる。「ネットワーク」および「システム」という用語は、しばしば互換的に使用される。ＣＤＭＡネットワークは、ユニバーサル地上無線アクセス（ＵＴＲＡ）、ｃｄｍａ２００などといった、無線技術を実装しうる。ＵＴＲＡは、広帯域ＣＤＭＡ（ＷＣＤＭＡ（登録商標））およびＣＤＭＡの他の変形を含む。ｃｄｍａ２０００は、ＩＳ−２０００、ＩＳ−９５、およびＩＳ−８５６規格をカバーする。ＴＤＭＡネットワークは、モバイル通信のためのグローバルシステム（ＧＳＭ（登録商標）：Global System for Mobile Communications）といった無線技術を実装しうる。ＯＦＤＭＡネットワークは、発展型ＵＴＲＡ（Ｅ−ＵＴＲＡ）、ウルトラモバイルブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュＯＦＤＭＡなどといった無線技術を実装しうる。ＵＴＲＡおよびＥ−ＵＴＲＡは、ユニバーサルモバイル通信システム（ＵＭＴＳ）の一部である。３ＧＰＰロングタームエボリューション（ＬＴＥ）およびＬＴＥ−アドバンスド（ＬＴＥ−Ａ）は、Ｅ−ＵＴＲＡを使用するＵＭＴＳの新リリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と名づけられた団体の文書の中で説明されている。ｃｄｍａ２０００およびＵＭＢは、「第３世代パートナーシッププロジェクト２」（３ＧＰＰ２）と名づけられた団体の文書の中で説明されている。本明細書において説明される技法は、上記されたワイヤレスネットワークおよび無線技術、並びに、他のワイヤレスネットワークおよび無線技術に使用されうる。明瞭さのために、この技法の特定の態様は、ＬＴＥに関して以下で説明され、ＬＴＥ用語が以下の説明の大部分で使用される。
【００３５】
図１は、ＬＴＥネットワークでありうる、ワイヤレス通信ネットワーク１００を示す。ワイヤレスネットワーク１００は、多数の発展型ノードＢ（ｅＮＢ）１１０と他のネットワークエンティティとを含みうる。ｅＮＢは、ＵＥと通信する局であり、また、基地局、ノードＢ、アクセスポイントなどとも称されうる。各ｅＮＢ  １１０は、特定の地理的エリアのための通信カバレッジを提供しうる。３ＧＰＰにおいて、用語「セル」は、用語が使用される文脈に応じて、ｅＮＢのカバレッジエリア、および／または、このカバレッジエリアにサービス提供するｅＮＢサブシステムを指すことができる。
【００３６】
ｅＮＢは、マクロセル、ピコセル、フェムトセル、および／または、他のタイプのセルのための通信カバレッジを提供しうる。マクロセルは、比較的大きい地理的エリア（例えば、半径数キロ）をカバーし、サービスに加入しているＵＥによる無制限アクセスを可能にしうる。ピコセルは、比較的小さい地理的エリアをカバーし、サービスに加入しているＵＥによる無制限アクセスを可能にしうる。フェムトセルは、比較的小さい地理的エリア（例えば、住居）をカバーし、このフェムトセルとの関連を有するＵＥ（例えば、クローズド加入者グループ（ＣＳＧ：Closed Subscriber Group）内のＵＥ、住居内のユーザのためのＵＥなど）による制限されたアクセスを可能にしうる。マクロセルのためのｅＮＢは、マクロｅＮＢと称されうる。ピコセルのためのｅＮＢは、ピコｅＮＢと称されうる。フェムトセルのためのｅＮＢは、フェムトｅＮＢまたはホームｅＮＢと称されうる。図１において示される例では、ｅＮＢ  １１０ａ、１１０ｂ、および１１０ｃは、それぞれ、マクロセル１０２ａ、１０２ｂ、および１０２ｃのためのマクロｅＮＢでありうる。ｅＮＢ  １１０ｘは、ピコセル１０２ｘのためのピコｅＮＢでありうる。ｅＮＢ  １１０ｙおよび１１０ｚは、それぞれ、フェムトセル１０２ｙおよび１０２ｚのためのフェムトｅＮＢでありうる。ｅＮＢは、１つまたは複数（例えば、３つ）のセルをサポートしうる。
【００３７】
ワイヤレスネットワーク１００はまた、中継局を含みうる。中継局は、アップストリーム局（例えば、ｅＮＢまたはＵＥ）からデータおよび／または他の情報の送信を受信し、ダウンストリーム局（例えば、ＵＥまたはｅＮＢ）にデータおよび／またはその他の情報の送信を送る局である。中継局はまた、他のＵＥのための送信を中継するＵＥでありうる。図１において図示される例では、中継局１１０ｒは、ｅＮＢ  １１０ａとＵＥ  １２０ｒとの間の通信を容易にするために、ｅＮＢ  １１０ａおよびＵＥ  １２０ｒと通信しうる。中継局はまた、中継ｅＮＢ、中継器（relay）などと称されうる。
【００３８】
ワイヤレスネットワーク１００は、例えば、マクロｅＮＢ、ピコｅＮＢ、フェムトｅＮＢ、中継器など、異なるタイプのｅＮＢを含む異種ネットワークでありうる。これらの異なるタイプのｅＮＢは、ワイヤレスネットワーク１００において異なる送信電力レベル、異なるカバレッジエリア、および干渉に対する異なる影響を有しうる。例えば、マクロｅＮＢは、高い送信電力レベル（例えば、２０ワット）を有しうるのに対し、ピコｅＮＢ、フェムトｅＮＢ、および中継器は、より低い送信電力レベル（例えば、１ワット）を有しうる。
【００３９】
ワイヤレスネットワーク１００は、同期動作または非同期動作をサポートしうる。同期動作について、ｅＮＢは、揃えられたフレームタイミングを有し、異なるｅＮＢからの送信が時間において揃えられうる。非同期動作について、ｅＮＢは、異なるフレームタイミングを有し、異なるｅＮＢからの送信は、時間において揃えられているとは限らない。本明細書において説明される技法は、同期動作と非同期動作の両方に使用されうる。
【００４０】
ＵＥ  １２０は、ワイヤレスネットワーク１００全体にわたって分散され、各ＵＥは、固定または移動可能でありうる。ＵＥは、端末、移動局、加入者ユニット、局などとも称されうる。ＵＥは、セルラ電話、携帯情報端末（ＰＤＡ）、ワイヤレスモデム、ワイヤレス通信デバイス、ハンドヘルドデバイス、ラップップコンピュータ、コードレス電話、ワイヤレスローカルループ（ＷＬＬ）局などでありうる。ＵＥは、マクロｅＮＢ、ピコｅＮＢ、フェムトｅＮＢ、中継器などと通信することが可能でありうる。図１において、両方向矢印を伴う実線は、ＵＥとサービングｅＮＢとの間の望ましい送信を示し、サービングｅＮＢは、ダウンリンクおよび／またはアップリンクでＵＥにサービス提供するように指定されたｅＮＢである。両方向矢印を伴う破線は、ＵＥとｅＮＢとの間の干渉伝送（interfering transmission）を示す。
【００４１】
ＬＴＥは、ダウンリンクでは直交周波数分割多重化（ＯＦＤＭ）を利用し、アップリンクでは単一キャリア周波数分割多重化（ＳＣ−ＦＤＭ）を利用する。ＯＦＤＭおよびＳＣ−ＦＤＭは、システム帯域幅を一般的にトーン、ビンなどとも称される、複数（Ｋ個）の直交サブキャリアに分割する。各サブキャリアは、データと変調されうる。概して、変調シンボルは、ＯＦＤＭの場合に周波数ドメインで送られ、ＳＣ−ＦＤＭの場合に時間ドメインで送られる。隣接するサブキャリアの間の間隔は固定され、また、サブキャリアの合計数（Ｋ個）はシステム帯域幅に依存しうる。例えば、Ｋは、システム帯域幅１．４、３、５、１０、または２０メガヘルツ（ＭＨｚ）に対して、それぞれ、１２８、２５６、５１２、１０２４、または２０４８に等しくなりうる。システム帯域幅はまた、サブバンドに分割されうる。例えば、サブバンドは、１．０８ＭＨｚをカバーしうる、そして、システム帯域幅１．４、３、５、１０、または２０ＭＨｚに対して、それぞれ、１、２、４、８、または１６個のサブバンドが存在しうる。
【００４２】
ＬＴＥ−アドバンスドは、各方向における送信に使用される合計１００Ｍｈｚ（５つのコンポーネントキャリア）までのキャリアアグリゲーションにおいて割付けられる２０Ｍｈｚ帯域幅の中でスペクトルを使用する。概して、ダウンリンクよりも少ないトラフィックがアップリンク上で送信されるので、アップリンクスペクトル割付は、ダウンリンク割付よりも小さくなりうる。例えば、２０Ｍｈｚがアップリンクに割当てられた場合、ダウンリンクは、１００Ｍｈｚを割当てられうる。これらの非対称ＦＤＤ割当は、スペクトルを節約し、ブロードバンド加入者による典型的に非対称な帯域幅利用に適している。
【００４３】
ＬＴＥ−アドバンスドモバイルシステムについては、連続的ＣＡと非連続的ＣＡの、２つのタイプのキャリアアグリゲーション（ＣＡ）方法が提案されている。非連続的ＣＡは、複数の利用可能なコンポーネントキャリアが周波数帯域に沿って分離されている場合に発生する。他方で、連続的ＣＡは、複数の利用可能なコンポーネントキャリアが互いに隣接している場合に発生する。同じ周波数帯域内に位置する、連続的コンポーネントキャリアは、帯域内コンポーネントキャリアと称されうる。しかしながら、例えば、ＵＥのアグリゲーション内の非連続的コンポーネントキャリアが異なる帯域内にある場合のように、ＵＥのコンポーネントキャリアが、１より大きい周波数帯域にわたって間隔をあけられている場合、それらコンポーネントキャリアは帯域間コンポーネントキャリアと称されうる。非連続的および連続的ＣＡの両方は、複数のＬＴＥ／コンポーネントキャリアをアグリゲートし、ＬＴＥ−アドバンスドＵＥの単一ユニットにサービス提供する。
【００４４】
図２は、キャリアアグリゲーション（ＣＡ）システム２００を示す、ブロック図を示す。ＣＡシステム２００は、複数のコンポーネントキャリア（ＣＣ）を含みうる。例えば、ＬＴＥ−アドバンスドにおいて、ＵＥは、複数のＣＣで構成されうる。ＣＣの１つ（例えば、ＣＣ１）がプライマリコンポーネントキャリア（ＰＣＣ）に指定される一方で、他のＣＣ（例えば、ＣＣ２、ＣＣ３など）がセカンダリコンポーネントキャリア（ＳＣＣ）に指定されうる。ＰＣＣは、ＵＥごとベースで、より上位のレイヤによって、半静的に構成されうる。図２で、ＣＡシステム２００は、ダウンリンク（ＤＬ）ＰＣＣと２つのＤＬ  ＳＣＣを含みうる。ＣＡシステム２００は、アップリンク（ＵＬ）ＰＣＣと２つのＵＬ  ＳＣＣとをさらに含みうる。ＵＬ  ＰＣＣは、ＰＵＣＣＨおよびＰＵＳＣＨを搬送しうる。ＵＬ  ＳＣＣは、ＰＵＳＣＨのみを搬送しうる。ＣＡシステム２００は３つより多くのＣＣを有しうることが理解される。ＡＣＫ／ＮＡＣＫ、チャネル品質指標（ＣＱＩ）、およびスケジューリング要求（ＳＲ）信号がＰＵＣＣＨで送信される場合、それら信号はＵＬ  ＰＣＣ上でありうる。それに基づいて、ＵＬ  ＳＣＣは所与のＵＥのためのＰＵＣＣＨを搬送しない。ＤＬ対ＵＬで５対１までのＣＣ対応付けがありうる。例えば、１つのＵＬ  ＣＣは、５つのＤＬ  ＣＣの分のＰＵＣＣＨでのＡＣＫ／ＮＡＣＫ送信をサポートする必要がありうる。
【００４５】
図３は、基地局／ｅＮＢ  １１０およびＵＥ  １２０の設計のブロック図を示しており、図１における、基地局／ｅＮＢのうちの１つ、および、ＵＥのうちの１つでありうる。関連付けが制限されたシナリオでは、基地局１１０は図１におけるマクロｅＮＢ  １１０ｃであり、ＵＥ  １２０はＵＥ  １２０ｙでありうる。基地局１１０はまた、他の何らかのタイプの基地局でありうる。基地局１１０はアンテナ３３４ａ〜３３４ｔを備え、ＵＥ  １２０はアンテナ３３５２ａ〜３３５２ｒを備えうる。
【００４６】
基地局１１０において、送信プロセッサ３３２０は、データソース３３１２からデータを受信し、コントローラ／プロセッサ３３４０から制御情報を受信しうる。プロセッサ３３２０は、データおよび制御情報を処理（例えば、符号化およびシンボルマッピング）して、データシンボルと制御シンボルをそれぞれ取得しうる。プロセッサ３３２０はまた、例えば、ＰＳＳ、ＳＳＳ、およびセル特有基準信号のための、基準シンボルを生成しうる。送信（ＴＸ）多入力多出力（ＭＩＭＯ）プロセッサ３３０は、適用可能であれば、データシンボル、制御シンボル、および／または基準シンボルに対して空間処理（例えばプレコーディング）を行い、変調器（ＭＯＤ）３３２ａ〜３３２ｔに出力シンボルストリームを提供しうる。各変調器３３２はそれぞれの出力シンボルストリーム（例えばＯＦＤＭなど用）を処理して、出力サンプルストリームを取得しうる。各変調器３３２はさらに、出力サンプルストリームを処理（例えばアナログ変換、増幅、フィルタリング、およびアップコンバート）して、ダウンリンク信号を取得しうる。変調器３３２ａ〜３３２ｔからのダウンリンク信号は、それぞれ、アンテナ３３４ａ〜３３４ｔを介して送信されうる。
【００４７】
ＵＥ  １２０において、アンテナ３５２ａ〜３５２ｒは、基地局１１０からダウンリンク信号を受信し、それぞれ復調器（ＤＥＭＯＤ）３５４ａ〜３５４ｒに、受信した信号を提供しうる。各復調器３３５４は、入力サンプルを取得するために、それぞれの受信した信号を調整（例えば、フィルタリング、増幅、ダウンコンバート、およびデジタル化）しうる。各復調器３５４は、入力サンプル（例えば、ＯＦＤＭなど用）をさらに処理して、受信シンボルを取得しうる。ＭＩＭＯ検出器３５６は、復調器３５４ａ〜４５４ｒのすべてからの受信シンボルを取得し、適用可能であれば、受信シンボルに対してＭＩＭＯ検出を行い、検出したシンボルを提供しうる。受信プロセッサ３３５８は、検出シンボルを処理（例えば、復調、デインタリーブ、復号）し、データシンク３３６０にＵＥ  １２０のための復号されたデータを提供し、コントローラ／プロセッサ３３８０に復号された制御情報を提供しうる。
【００４８】
アップリンクで、ＵＥ  １２０において、送信プロセッサ３６４は、データソース３６２からデータ（例えば、ＰＵＳＣＨ用）を受信および処理し、コントローラ／プロセッサ３８０から制御情報（例えば、ＰＵＣＣＨ用）を受信および処理しうる。送信プロセッサ３６４はまた、基準信号のための基準シンボルを生成しうる。送信プロセッサ３６４からのシンボルは、適用可能であれば、ＴＸ  ＭＩＭＯプロセッサ３３６６によってプリコーディングされ、復調器３５４ａ〜３５４ｒによって（例えば、ＳＣ−ＦＤＭなど用に）さらに処理され、基地局１１０に送信されうる。基地局１１０では、ＵＥ  １２０からのアップリンク信号がアンテナ３３４によって受信され、変調器３３２によって処理され、適用可能であればＭＩＭＯ検出器３３６によって検出され、受信プロセッサ３３８によってさらに処理され、ＵＥ  １２０によって送られた復号されたデータおよび制御情報を取得しうる。プロセッサ３３８は、復号されたデータをデータシンク３３９に提供し、復号された制御情報をコントローラ／プロセッサ３４０に提供しうる。
【００４９】
コントローラ／プロセッサ３４０および３８０は、それぞれ、基地局１１０およびＵＥ  １２０における動作を指示しうる。プロセッサ３４０および／または基地局１１０における他のプロセッサおよびモジュールは、本明細書において説明される技法のための様々なプロセスの実行を行うまたは指示しうる。プロセッサ３８０および／またはＵＥ  １２０における他のプロセッサおよびモジュールはまた、本明細書において説明される技法のためのプロセスの実行を行うまたは指示しうる。メモリ３４２および３８２は、それぞれ、基地局１１０およびＵＥ  １２０のためのデータおよびプログラムコードを記憶しうる。スケジューラ３４４は、ダウンリンクおよび／またはアップリンクでのデータ送信のためにＵＥをスケジューリングしうる。
【００５０】
１つの構成では、ワイヤレス通信のためのＵＥ  １２０は、ＵＥが接続モードである間に干渉している基地局から干渉を検出する手段と、干渉している基地局について得られたリソースを選択する手段と、得られたリソースの物理ダウンリンク制御チャネルのエラー率を取得する手段と、既定のレベルを超過するエラー率に対応して実施可能な、無線リンク障害（failure）を宣言する（declaring）手段とを含む。１つの態様において、上述された手段は、上述された手段によって列挙された機能を行うように構成された、１つ以上のプロセッサ、コントローラ／プロセッサ３８０、メモリ３８２、受信プロセッサ３５８、ＭＩＭＯ検出器３５６、復調器３５４ａ、およびアンテナ３５２ａでありうる。別の態様では、上述された手段は、上述された手段によって列挙された機能を行うように構成された、モジュールまたは任意の装置でありうる。
【００５１】
複数のＲＦ受信ユニットおよび複数の高速フーリエ変換器（ＦＦＴ）は、キャリアが周波数帯域に沿って分離されているので、ＬＴＥ−アドバンスドＵＥにおいて非連続的ＣＡで展開されうる。非連続的ＣＡは、広周波数範囲にわたって複数の分離されたキャリアを通してデータ送信をサポートするため、伝搬パスロス、ドップラ偏移、および他の無線チャネルの特徴は、異なる周波数帯域で大いに異なりうる。
【００５２】
ＬＴＥおよびＬＴＥ−アドバンスドでは、サウンディング基準信号（ＳＲＳ）送信がサポートされる。ＳＲＳは、アップリンク（ＵＬ）周波数選択的スケジューリングを容易にするため、並びに、ＵＬ電力制御、時間追跡などの他の目的のために広帯域サラウンディング信号として設計されうる。時分割複信（ＴＤＤ）において、ＳＲＳは、チャネル相互性の活用を介してダウンリンク（ＤＬ）スケジューリングに対しても使用されることができる。概して、ＳＲＳは、サービングセルに向けられ、物理アップリンク共有チャネル（ＰＵＳＣＨ）電力制御にリンクされる。
【００５３】
各セルは、セル特有ＳＲＳ送信インスタンス（最大でＵＬサブフレームごと）およびセル特有ＳＲＳ送信帯域幅を有しうる。典型的に、セル特有ＳＲＳ帯域幅が、物理アップリンク制御チャネル（ＰＵＣＣＨ）領域を除く、アップリンクシステム帯域幅の大部分をカバーすることが期待される。所与のセル内の各ＵＥは、（セル特有ＳＲＳ送信インスタンス内の）ＵＥ特有ＳＲＳ送信インスタンスおよびＵＥ特有ＳＲＳ送信帯域幅で構成され、それは、４個のリソースブロック（ＲＢ）と同じ小ささであることができる。概して、ＳＲＳは、ＴＤＤシステムにおいて、アップリンクサブフレームの最後のシンボルとして、または特別（special）サブフレームの最後の２つのシンボルのうちの１つとして送信される。
【００５４】
ＬＴＥ  Ｒｅｌ−８／９では、周期的ＳＲＳが、ＲＲＣ構成を介してサポートされている。ＵＥはまた、単発ＳＲＳ送信（one-shot SRS transmission）のためにＲＲＣによって構成されうる。ＬＴＥ  Ｒｅｌ−１０では、非周期的ＳＲＳ（Ａ−ＳＲＳ）がサポートされている。Ａ−ＳＲＳは、単発送信でありうる。さらに、多発（multi-shot）Ａ−ＳＲＳのサポートが可能でありうる。Ａ−ＳＲＳは、ＵＬ許可（例えば、ＤＣＩフォーマット０／４）または何らかのＤＬ許可（例えば、ＤＣＩフォーマット１Ａ）における物理ダウンリンク制御チャネル（ＰＤＣＣＨ）によってトリガされうる。ＣＡのもとで、ＵＥは、アップリンクにおける１つのＣＣまたは複数のＣＣで、Ａ−ＳＲＳ送信のために構成されうる。
【００５５】
Ｒｅｌ−８／９では、ＵＬ送信アンテナ選択（ＴＡＳ）はサポートされており、そこでは、ＵＥは、所与の時間に、複数のアンテナのうち１つを選択しうる。ＵＬ  ＴＡＳは、より上位のレイヤによって（例えば、ＲＲＣ構成を通じて）構成されうる。閉ループＵＥ  ＴＡＳが有効な場合、ＰＤＣＣＨ巡回冗長検査（ＣＲＣ）の異なるスクランブリングを介して、選択された送信アンテナが示されうる。開ループＵＥ  ＴＡＳが有効な場合、送信アンテナは、ＵＥによって選択されることとなり、規格において規定されえない。ＳＲＳについて、ＴＡＳをサポートするＵＥのためにアンテナ選択が有効にされた場合、ＳＲＳは、時間的に交代するいずれかのアンテナから送信されうる。
【００５６】
本開示によれば、ワイヤレス通信スキームは、ＬＴＥ  Ｒｅｌ−８／９によってサポートされるＵＬ  ＴＡＳ特性とＬＴＥ−アドバンスド  Ｒｅｌ−１０によってサポートされるＭＩＭＯ特性とを活用するものとして説明される。このような通信スキームは、様々な範囲の条件のもとで、整合性を持つＵＬ  ＴＡＳシグナリングを提供するための、基地局とＵＥとが行うステップを有効にする。続く考察によってより良く理解されるであろうように、本開示の代表的態様は、ＭＩＭＯ通信のために構成されたＵＥのための、整合性を持つＵＬ  ＴＡＳシグナリングを有効にするワイヤレス通信スキームを対象とする。
【００５７】
本開示のいくつかの態様によれば、スキームは、開ループ構成および閉ループ構成の組合せを通じて動作し、ＵＥは、１）基地局から受信したアンテナ選択トリガまたは割当と２）そのＵＥによってなされた１つ以上の決定とに基づいて、アップリンク送信のための１つ以上のアンテナポートを選択する。１つ以上のコンポーネントキャリアについて、ＵＥは、閉ループＴＡＳのために構成され、指定されたコンポーネントキャリアのためのＵＬ  ＴＡＳは、例えばＵＬ許可におけるＤＣＩ情報といった、ＰＤＣＣＨに含まれる関連基地局からの制御情報に従って制御される。指定された１つ以上のキャリアは、例えば、プライマリコンポーネントキャリアでありうる。残りのコンポーネントキャリア（例えば、セカンダリコンポーネントキャリア）では、ＵＥは、開ループＴＡＳで構成される。開ループＴＡＳが有効なコンポーネントキャリアについて、アンテナポートは、ＵＥによってなされた決定に従って選択される。ＵＥは、望ましい運転基準または構成に従って、残りのいくつかまたはすべてのキャリアコンポーネントで、閉ループＵＬ  ＴＡＳと開ループＵＬ  ＴＡＳとの様々な組合せに準拠しうる。例えば、ＵＥがアンテナを独立的に切替えることができる場合、ＵＥは、その決定に従って、適切な場合に、別のアンテナを選択しうる。しかしながら、ＵＥがこのような独立したアンテナ切替ができない場合、ＵＥは、閉ループ割当で指定された、同じアンテナ選択に準拠しうる。上記のように開ループＵＬ  ＴＡＳと閉ループＵＬ  ＴＡＳとの組合せを利用することは、ＵＥにおけるいくらかのＵＬシグナリング要求を低減させる。
【００５８】
別の態様によれば、ＵＬ  ＴＡＳが行われ、そこでは、様々なアンテナポートトリガに対応して、ＵＥがそのアンテナポートを１つ以上のコンポーネントキャリアに割当てる。ここで、アンテナトリガは、ＵＥにおいて、アンテナ選択割当として把握されうる。さらに理解すると、ＵＥは、１つ以上のコンポーネントキャリアのための、適切なまたは最適なアンテナポートを選択するために、様々なアンテナ選択割当を受信し、受信した割当の間の少なくとも１つの不整合を識別し、その不整合を解決する。ＵＥは、アップリンク送信のための最適なアンテナ選択を保障するために、様々なステップを行いうる。いくつかのケースでは、ＵＥは基地局から受信した不整合なアンテナ選択割当をエラーイベントとして扱いうる。ＵＥは、単に不整合な割当を破棄し、不整合な割当に留意せずに、アンテナ選択を行う。他のケースでは、ＵＥは、決定されたスキームまたは優先度に従ってアンテナ選択を行う。スキームまたは優先度は、ＵＥにおいて記憶されるか、基地局から命令として受信されうる。例として、ＵＥは、コンポーネントキャリアを差別的に扱うことによって、特定のアンテナポートを特定のコンポーネントキャリアのために予約しておく、および／または、特定のアンテナを特定のコンポーネントキャリアに割当てうる。
【００５９】
別の態様によれば、関連付けられた基地局によるＵＬ  ＴＡＳの割当は、ＵＥの性能に従って有効になる。ＵＥは、そのＵＥのキャリアアグリゲーション内のコンポーネントキャリアごとに、そのＵＥの送信アンテナ切替のための性能のインジケーションを送信する。それへの対応として、基地局は、ＵＥの性能のインジケーションに少なくとも部分的に基づく、ＵＥのための送信アンテナ選択を含む、制御情報を送信しうる。
【００６０】
他の態様によれば、ＵＬ  ＴＡＳは、ＵＥのキャリアアグリゲーションを備えるコンポーネントキャリアの構成に応じて、異なる形式で有効になりうる。ＵＥのキャリアアグリゲーションを備えるコンポーネントキャリアが連続または互いに隣接しており、ＵＥによって単一の電力増幅器（ＰＡ）が利用される場合、ＵＬ  ＴＡＳは、キャリアアグリゲーション内のすべてのコンポーネントキャリアにとって同じように構成されうる。そうであるから、ＵＥが、１つのコンポーネントキャリアを送信するために利用されるアンテナを切替える場合、ＵＥは、アグリゲーションを備える他のあらゆるコンポーネントキャリアのためのアンテナもまた切替える。他方で、ＵＥのキャリアアグリゲーションを備えるコンポーネントキャリアが非連続、すなわち周波数において互いに分離されており、異なるコンポーネントキャリアに異なるＰＡを利用する場合、ＵＬ  ＴＡＳは、キャリアアグリゲーション内のコンポーネントキャリアにとって独立的に構成されうる。そうであるから、ＵＥは、１つ以上のコンポーネントキャリアを送信するために利用されるアンテナを切替えうるが、そこで、残りのキャリアに対して切替えを行うことを要求されない。以上に考察したように、同じ周波数帯域内に位置する連続的コンポーネントキャリアは、帯域内コンポーネントキャリアと称され、ＵＥのアグリゲーション内で異なる帯域内にあるコンポーネントキャリアは帯域間コンポーネントキャリアと称されうる。
【００６１】
図４は、本開示に従う装置のいくつかの態様を図示する、ブロック図である。ワイヤレス通信のための装置４００（例えば、ＵＥ  １２０の１つ以上のコンポーネントまたは部分）は、複数のコンポーネントキャリアでのキャリアアグリゲーション送信のために構成される。装置４００は、モジュール４０２、４０４、４０６、および４０８を含み、それらは、ＵＥに関して本明細書において説明される動作を提供するために協力する。モジュール４０２、４０４、４０６、および４０８の各々は、以下で説明される機能を提供するために、プロセッサ４０１上で動作可能、またはプロセッサ４０１を利用して実行しうるような、ソフトウェア、プログラムコード、または他の論理（例えば、特定用途向け集積回路（ＡＳＩＣ）、フィールドプログラマブルゲートアレイ（ＦＰＧＡ）など）を備えうる。
【００６２】
モジュール４０２は、アップリンク送信のために、装置４００によって利用されるコンポーネントキャリアの間でアンテナを切替える、装置４００の性能を取得するために動作する。コンポーネントキャリアの間でアンテナを切替えるＵＥの性能は、同時にすべてのコンポーネントキャリアのためのアンテナを切替えるよりはむしろ、所与の時間にコンポーネントキャリアのサブセットまたは組合せのためのアンテナを切替える、ＵＥの能力を含みうる。そのＵＥの性能は、アップリンク送信のためのＵＥによって利用されるコンポーネントキャリアのタイプという観点から、さらに定義されうる。つまり、いくつかの態様によると、ＵＥは、コンポーネントキャリアが連続的である場合、それらすべてのコンポーネントキャリアのためのアンテナを切替えうる。他方で、コンポーネントキャリアが非連続的である場合、ＵＥにとって、それらコンポーネントキャリアの一部または組合せだけの間で、アンテナを切替えることが好まれうる。
【００６３】
上記のＵＥアンテナ切替性能は、装置４００の製造期間に既定されてＵＥに（例えば、モジュール４０２に）記憶されるか、他のネットワークコンポーネントから命令として受信されるか、または他の基準に基づきうる。例えば、ＵＥの性能は、様々な動作パラメータに基づき、これらの様々な動作パラメータに関するＵＥの性能についての情報は、製造時にＵＥに記憶されうる。例として、ＵＥの性能は動作的に定義  されうる、そこでは、例えば、ＵＥは、複数の帯域での動作をサポートし、動作している帯域、または動作している帯域のグループのための、分離されたアンテナポートを有す。ＵＥは、１ＧＨｚ以下の帯域で、２つのＭＩＭＯアンテナポートを有し、１ＧＨｚ以上の帯域で、分離された２つの他のＭＩＭＯアンテナポートを有しうる。ＵＥが、非連続的帯域を利用するケースでは、ＵＥは、利用可能なコンポーネントキャリアのうち、利用可能なアンテナのサブセットのみを切替えうるため、ＵＥが、動作している帯域のサブセットにあるアンテナを切替えられるものの、動作している帯域の残りにあるアンテナは切替えられないことがありうる。それゆえに、ＵＥの性能についての決定は、ＵＥのキャリアアグリゲーション内のキャリアコンポーネントが、互いに関してどのように位置しているかに依存しうる。さらに、ＵＥの性能に関わる情報は、ワイヤレス通信ネットワーク内の他のコンポーネント（例えば、基地局１１０）から、装置４００によって受信されうる。アンテナ切替性能情報は、このような態様において、周期的または非周期的ベースで、受信されうる。
【００６４】
モジュール４０４は、コンポーネントキャリアごとに、装置４００の送信アンテナ切替のための性能のインジケーションを生成するように動作する。生成されたインジケーションは、コンポーネントキャリアごとにアンテナを切替えるＵＥの性能に対応する、インジケータビットといった、インジケータを備えうる。例えば、ＵＥのコンポーネントキャリアのサブセットの間でアンテナを切替える性能に対応するインジケータビットは、ＵＥによってその特性が提供されていることを示すために、１にセットされうる。他方で、そのビットは、ＵＥにその機能がないことを示すために、０にセットされうる。
【００６５】
モジュール４０６は、装置４００（例えば、基地局１１０）との通信で、モジュール４０４によって生成されたインジケーションを局に送信するように動作する。１つの態様によれば、モジュール４０６は、ＵＥと基地局との間の通信が、ある時間を通して維持および最適化されていることを保障するために、装置４００に、周期的ベースでインジケーションを送信させる。加えて、または、代わりに、モジュール４０６は、場合によってはハンドオーバー、電力切れ、信号のロス、およびそれらのようなものといったイベントまたは状態の発生に基づいて、装置４００に、非周期的にインジケーションを送信させうる。このような、周期的および／または非周期的なインジケータの送信を提供することは、装置（例えば、ＵＥ  １２０）と他の局（例えば、基地局１１０）との間の通信が、変化し続ける状態を通して最適化されていることを保障することを助ける。
【００６６】
モジュール４０８は、ＵＥのための送信アンテナ選択を含む制御情報を受信するように動作する。ある態様によれば、基地局から受信した送信アンテナ選択情報は、モジュール４０６の動作を通して送信される、ＵＥの性能のインジケーションに基づく。受信されたアンテナ選択は、異なる形式をとることができ、そこでは、例えば、アンテナ選択は、コンポーネントキャリアごとに独立したアンテナ選択のための命令を含みうる。以上を念頭に置くと、ＵＥが異なる周波数帯域の間で分離されたコンポーネントキャリアで送信をする場合、つまり、帯域間キャリアアグリゲーション構成に従う場合、このような命令が適切でありうる。他方で、アンテナ選択は、すべてのアグリゲートされたコンポーネントキャリアについての同時的アンテナ切替のための命令を含みうる。ＵＥが同じ周波数帯域内のコンポーネントキャリアで送信する場合、つまり、帯域内キャリアアグリゲーション構成に従う場合、このような命令が適切でありうる。
【００６７】
図５は、本開示の１つの態様を実装するように、装置４００の動作などによって実行される例示的なブロックを図示する機能ブロック図５００である。ブロック５０２では、ＵＥのアンテナ切替性能が取得される。上記のように、この性能情報は、既定でありうるが、その場合、ＵＥはメモリからその情報を取得しうる。付加的な態様では、ＵＥは、アドホックベースで、そのアンテナ切替性能を決定しうる。ＵＥの性能のインジケーションは、ブロック５０４で生成される。次いで、ＵＥの性能のインジケーションは、ブロック５０６において、基地局へと送信される。ブロック５０８では、ＵＥがブロック５０６で送信されたインジケーションに基づく、そのＵＥのための送信アンテナ選択を含む制御情報を受信する。例えば、ＵＥは、基地局からの、ダウンリンク制御情報（ＤＣＩ）メッセージに内包される、アンテナ選択割当を受信しうる。
【００６８】
図６は、ワイヤレス通信のための装置６００を図示する、ブロック図である。装置６００は、基地局１１０の１つ以上のコンポーネントまたは一部を含みうる。装置６００はまた、モジュール６０２、６０４、６０６、および６０８を含み、それらは、基地局に関して本明細書において説明される動作を提供するために実行される。モジュール６０２、６０４、６０６、および６０８の各々は、以下で説明される機能を提供するために、プロセッサ６０１上で動作可能、またはプロセッサ６０１によって実行されうるような、ソフトウェア、プログラムコード、または他の論理（例えば、ＡＳＩＣ、ＦＰＧＡなど）を備えうる。
【００６９】
モジュール６０２は、キャリアアグリゲーション内のコンポーネントキャリアごとに、ＵＥのアンテナ切替性能のインジケーションを含む、ＵＥからのアップリンク通信を受信するように動作する。例えば、プロセッサ６０１によって実行された場合、モジュール６０２は、アンテナ、復調器（図示されない）、およびそれらのようなものを含む、装置６００のコンポーネントを制御する。基地局から受信された信号は、ＵＥアンテナ切替性能のインジケーションを抽出するために、モジュール６０２の実行を通して受信および復号される。
【００７０】
モジュール６０４は、ＵＥのアップリンク通信で受信されたインジケーションの性質を決定するために、装置６００のプロセッサ６０１の制御のもとで動作する。例えば、モジュール６０４は、インジケート(indicate)された性能を特定の送信アンテナ選択に関連付ける、装置６００のメモリ内に記憶された情報のテーブルに対して、受信したインジケーションを比較しうる。モジュール６０４はさらに、ＵＥから受信したインジケーションに基づいて、ＵＥのための送信アンテナ選択を決定するように動作する。例えば、モジュール６０４の動作は、装置６００に、受信されたインジケーションを通してＵＥのために識別されたアンテナ切替性能に関連付けられた特定の送信アンテナ選択を選ばせるだろう。
【００７１】
モジュール６０６は、ＵＥにどんな制御情報を送信するのか決定するように動作する。制御情報は、ＵＥのための送信アンテナ選択を規定しうる。例えば、基地局は、ＵＥによって利用されるキャリアアグリゲーション内のコンポーネントキャリアごとの独立したアンテナ切替のための命令を含む制御情報を送信しうる。１つの態様によれば、ＵＥが異なる周波数帯域の間で間隔づけられたコンポーネントキャリアで送信をする場合、つまり、帯域間キャリアアグリゲーション構成に従う場合、このような命令が送信されうる。他方で、基地局は、ＵＥによって利用されるキャリアアグリゲーション内のすべてのコンポーネントキャリアのための同時的アンテナ切替のための命令を含む制御情報を送信しうる。別の態様によれば、ＵＥが同じ周波数帯域のうちで間隔づけられたコンポーネントキャリアにおいて送信をする場合、つまり、帯域内キャリアアグリゲーション構成に従う場合、このような命令が送信されうる。上記の制御情報は、ＤＣＩメッセージに含まれうる。
【００７２】
モジュール６０８は、基地局から、ダウンリンク通信をＵＥに送信するように動作し、その通信は、送信アンテナ選択を識別する制御情報を含む。例えば、基地局は、ＤＣＩメッセージを送信し、それは、ＵＥが異なるコンポーネントキャリアの間で独立的にアンテナを切替えられないことをアコモデート（accommodate）しうる。代わりに、基地局は、ＤＣＩメッセージを送信し、それは、ＵＥが異なるコンポーネントキャリアの間で独立的にアンテナを切替えられることを当てにしうる。
【００７３】
図７は、本開示の１つの態様を実装するように実行される例示的なブロックを図示する機能ブロック図７００である。ブロック７０２では、ＵＥからのアップリンク通信が受信される。ブロック７０４では、基地局がアップリンク通信におけるインジケーションを復号し、そのインジケーションは、コンポーネントキャリアの間でアンテナを切替えるＵＥの性能を識別する。そうであるから、基地局は、受信されたアップリンク通信を通して、ＵＥがどんなアンテナ切替性能を有するのか決定する。それへの対応として、ＵＥのアンテナ切替性能を決定すると、ブロック７０６において、基地局は、報告されたアンテナ切替性能を考慮して、ＵＥのためのアンテナ選択を指定する制御情報を選択する。例えば、ＵＥが、キャリアアグリゲーション内のキャリアコンポーネントの間でアンテナを独立的に切替えることができるというインジケーションを基地局が受信した場合、基地局は、ＵＥの性能を最適化する制御情報を送信しうる。ブロック７０８では、基地局がＵＥに制御情報を送信し、それによって、報告されたＵＥのアンテナ切替性能に基づいて、アンテナ選択をＵＥに提供する。
【００７４】
図８は、本開示に従う装置のさらなる態様を図示する、ブロック図である。ワイヤレス通信のための装置８００（例えば、ＵＥ  １２０の１つ以上のコンポーネントまたは部分）は、複数のコンポーネントキャリアでのキャリアアグリゲーション送信のために構成される。装置８００は、モジュール８０２、８０４、８０６、および８０８を含み、それらは、ＵＥに関して本明細書において説明される動作を提供するために協力する。モジュール８０２、８０４、８０６、および８０８の各々は、以下で説明される機能を提供するために、プロセッサ８０１上で動作可能、またはプロセッサ４０１を利用して実行しうるような、ソフトウェア、プログラムコード、または他の論理（例えば、特定用途向け集積回路（ＡＳＩＣ）、フィールドプログラマブルゲートアレイ（ＦＰＧＡ）など）を備えうる。
【００７５】
モジュール８０２は、（例えば、１つ以上の基地局１１０といった）１つ以上の基地局から様々なアンテナ選択割当を受信するように動作する。アンテナ選択割当は、ＵＥが、ＵＥのキャリアアグリゲーション内の１つ以上のコンポーネントキャリアを通して送信するために使用する特定のアンテナポートを選択するよう、シグナリングまたはトリガする。
【００７６】
モジュール８０４は、様々なアンテナトリガまたはアンテナ選択割当が互いに不整合かどうか決定するために、それらトリガまたは割当を評価するように動作する。このケースでは、１）１つ以上の選択割当が、キャリアアグリゲーション内の１つ以上のコンポーネントキャリアの１つのアンテナポートの使用をインジケートする一方で、他の選択割当が、同じコンポーネントキャリアのための他のアンテナポートの使用をインジケートする場合、および／または、２）１つの選択割当が、所与の時間に、所与のアンテナポートによってアコモデートされえないコンポーネントキャリアのためのアンテナの使用をインジケートする場合に、不整合は発生しうる。つまり、アンテナ選択割当は、その割当がＵＥによってアコモデートされえないような、キャリアアグリゲーション内の、相違するまたはその他の点で相容れないコンポーネントキャリアのために同じアンテナポートを割当てることを求めうる。そのケースでは、アンテナ選択割当は、不整合として分類できる。
【００７７】
モジュール８０６は、ＵＥによって利用されるコンポーネントキャリアのうち少なくとも１つでの、アップリンク送信のための適切なアンテナ選択を決定するように動作する。この決定は、モジュール８０４によってなされた不整合の決定に対応して、なされうる。不整合な割当が無い場合、ＵＥは単に割当てられたアンテナポートを選択する。
【００７８】
ある態様によれば、アンテナ選択は、単に不整合なアンテナ選択割当を無視することによって、不整合な割当の間で行われうる。そのケースでは、不整合な選択割当は、エラーイベントとして扱われ、破棄されうる。ＵＥは、破棄されたエラーイベントを無視し、破棄された割当に留意せず、アンテナ選択に進む。例えば、アンテナ選択割当がＰＤＣＣＨに含まれる場合、ＵＥは、受信したＰＤＣＣＨを破棄する。
【００７９】
別の態様によれば、ＵＥは、受信された割当の間の、大半のトリガまたは割当を識別することによって、アンテナポートを適切または最適だと識別しうる。そのケースでは、大半のＵＬ  ＴＡＳトリガでインジケートされたアンテナポートが選択される。例えば、３つのＴＡＳ割当があり、２つのＴＡＳ割当は送信アンテナ１の選択をインジケートし、かつ、１つのＴＡＳ割当は送信アンテナ２の選択をインジケートしうる。このシナリオでは、アンテナ１がより多くのＴＡＳ割当を有するため、ＵＥは、ＵＬ送信のためにアンテナ１を使用するだろう。
【００８０】
さらに、ＵＥは、決定された優先度に従って、１つ以上のコンポーネントキャリアのためのアンテナポートを選択しうる。ＵＥは、特定のコンポーネントキャリアを優先するように構成されうる。そこでは、例えば、プライマリコンポーネントキャリアは、それらが最初に割当てられるか、最適（例えば、高ＳＩＮＲで動作している、またはそれのような場合）だと決定されたアンテナポートに割当てられるように、優先権を与えられうる、または、差別的に扱われうる。プライマリコンポーネントキャリアが割当てられた後、セカンダリコンポーネントキャリアは、さらなる優先づけに従って、および／または既定のスキームに従って割当てられうる。また、特定のアンテナポートは、より高い優先度を割当てられたコンポーネントキャリア（この場合も先と同様に、例えば、プライマリコンポーネントキャリア）だけの割当のために予約されうる。
【００８１】
さらに別の態様によれば、ＵＥは、特定の基準を達成するために、基地局から受信されたアンテナ選択割当を解決しうる。例えば、ＵＥは、最低繰返し率ＳＲＳによって規定されるパターンを達成するために、ルールに準拠しうる。つまり、ＳＲＳ送信のための暗黙の順序またはパターンがある。例えば、ＳＲＳ１は、１０ｍｓの周期性を有し、第１のコンポーネントキャリアで送信されうる。ＳＲＳ２は、２０ｍｓの周期性を有し、第２のコンポーネントキャリアで送信されうる。ＵＥは、ＳＲＳ２によって規定されるアンテナパターンに準拠しうる。そのアンテナパターンは、２０ｍｓの周期性をもつ１、２、１、２…であり、「１」はＵＥのアンテナ１を表し、「２」はＵＥのアンテナ２を表す。そうであるから、ＳＲＳ１のためのアンテナパターンは、（１、２、１、２、１、２、１、２…の代わりに）１０ｍｓの周期性をもつ１、２、２、１、１、２、２、１…である。それゆえに、ＳＲＳ１およびＳＲＳ２が、それぞれ、第１のコンポーネントキャリアおよび第２のコンポーネントキャリアで、同時に送信される場合、同じアンテナが使用される。
【００８２】
また、本開示の別の態様では、ＵＥは、特定のアンテナポートが特定のコンポーネントキャリアのためにいつも最初に利用される（例えば、いつもポート０を使用する）、一定のルールに従って進めうる。さらなる例として、周期的ＳＲＳとの関連で、同じアンテナポートが要求される場合、すべてのコンポーネントキャリアの周期的ＳＲＳの構成は、これらの同時的ＳＲＳ送信が、対応するサブフレーム内の同じポートを使用するような、整合性を持たなければならない。
【００８３】
図９は、本開示の１つの態様を実装するように実行される例示的なブロックを図示する機能ブロック図９００である。ブロック９０２において、１つ以上の基地局からの様々なアンテナ選択割当が受信される。ブロック９０４では、様々なアンテナ選択割当は、これらが互いに不整合かどうかを決定するために評価される。例えば、１つの割当が、１つ以上のコンポーネントキャリアの１つのアンテナポートの使用をインジケートする一方で、別の選択割当が、同じコンポーネントキャリアのための他のアンテナポートの使用をインジケートする場合、および／または、１つの選択割当が、所与の時間に、所与のアンテナポートによってアコモデートされえないコンポーネントキャリアのためのアンテナの使用をインジケートする場合に、不整合な選択割当は生じうる。ＵＥによって利用されるコンポーネントキャリアのうち少なくとも１つでの、アップリンク送信のための適切なアンテナ選択は、ブロック９０６で決定される。
【００８４】
図１０は、ワイヤレス通信のための装置１０００を図示する、ブロック図である。装置１０００は、基地局１１０の１つ以上のコンポーネントまたは一部を含みうる。装置１０００はまた、モジュール１００２、１００４、１００６、および１００８を含み、それらは、基地局に関して本明細書において説明される動作を提供するために実行される。モジュール１００２、１００４、１００６、および１００８の各々は、以下で説明される機能を提供するために、プロセッサ１００１上で動作可能、またはプロセッサ６０１によって実行されうるような、ソフトウェア、プログラムコード、または他の論理（例えば、ＡＳＩＣ、ＦＰＧＡなど）を備えうる。
【００８５】
モジュール１００２は、ＵＥに第１の制御情報と第２の制御情報とを送信するように動作する。第１の制御情報は、複数のコンポーネントキャリアのうちの１つについての閉ループ送信アンテナ選択を備えてユーザ機器を構成するための命令を含み、第２の制御情報は、複数のコンポーネントキャリアのうちの他の少なくとも１つについての開ループ送信アンテナ選択を備えてＵＥを構成するための命令を含む。モジュール１００４は、例えば、コンポーネントキャリアごとの、ＵＥの送信アンテナ切替のための性能のインジケーションといった、アップリンク送信をＵＥから受信するように動作する。
【００８６】
図１１は、本開示の１つの態様を実装するように実行される例示的なブロックを図示する機能ブロック図１１００である。機能ブロック図１１００の様々なブロックは、基地局によって行われうる。
【００８７】
モジュール１１０２は、キャリアアグリゲーション内のコンポーネントキャリアのうち１つで、閉ループ送信アンテナ選択のためにＵＥを構成する構成情報をＵＥに送信するように動作する。１つの態様によれば、これは、第１の制御情報をＵＥに送信することによって達成され、第１の制御情報は、複数のコンポーネントキャリアのうちの１つについての閉ループ送信アンテナ選択を備えてユーザ機器を構成するための命令を含む。
【００８８】
モジュール１１０４は、キャリアアグリゲーションの他のコンポーネントキャリアについての開ループ送信アンテナ選択のためにＵＥを構成する構成情報をＵＥに送信するように動作する。別の態様によれば、これは、第２の制御情報をＵＥに送信することによって達成され、ここにおいて第２の制御情報はコンポーネントキャリアのうちの他の少なくとも１つについての開ループ送信アンテナ選択を備えてＵＥを構成するための命令を含む。
【００８９】
単一の電力増幅器（ＰＡ）が２つ以上のコンポーネントキャリアに使用され、ＴＡＳが有効な場合、所与の時間にすべてのコンポーネントキャリアのために同じアンテナポートを使用することは、概して好まれうる。図１２は、同様にＴＡＳが有効なＵＥの２つのコンポーネントキャリア（ＣＣ１およびＣＣ２）のために利用される単一のＰＡ  １２０２のブロック図１２００を図示する。上記のように、ＵＥのキャリアアグリゲーションを備えるコンポーネントキャリアが連続または互いに隣接しており、それらコンポーネントキャリアのすべてについて、ＵＥによって単一のＰＡが利用される場合、ＵＬ  ＴＡＳは、キャリアアグリゲーション内のすべてのコンポーネントキャリアにとって同じように構成されうる。それに基づいて、単一のＰＡ  １２０２を利用するにあたって、ＰＵＳＣＨ  １２０４とＰＵＳＣＨ  １２０６が、帯域内キャリアアグリゲーション内の２つ以上のコンポーネントキャリアで送信されることとなる場合、それらの送信は、同じアンテナポート、例えばＴＸポート１２０８、を使用して行われねばならない。加えて、ＳＲＳが、帯域内キャリアアグリゲーション内の２つ以上のコンポーネントキャリア、例えば、ＳＲＳ  ＣＣ３  １２１０およびＳＲＳ  ＣＣ４  １２１２、で同時に送信されることとなる場合、それらの送信はまた、同じアンテナポート、例えばＰＡ  １２０２のＴＸポート１２１４、を使用して行われねばならない。
【００９０】
当業者は、情報および信号が、様々な異なる技術および技法のいずれかを使用して表されうることを理解するだろう。例えば、上記説明の全体にわたって参照されうるデータ、命令、コマンド、情報、信号、ビット、シンボル、およびチップは、電圧、電流、電磁波、磁場または磁性粒子、光場または光粒子、またはこれらの任意の組合せによって表されうる。
【００９１】
当業者はさらに、本開示に関連して説明された様々な実例となる論理ブロック、モジュール、回路、およびアルゴリズムのステップが、電子ハードウェア、コンピュータソフトウェア、または両方の組合せとして実装されうることを理解するだろう。ハードウェアとソフトウェアとのこの互換性を明確に解説するために、様々な実例となるコンポーネント、ブロック、モジュール、回路、およびステップが、概してそれらの機能という観点から、上述されている。このような機能が、ハードウェアとして実装されるか、またはソフトウェアとして実装されるかは、特定のアプリケーションおよびシステム全体に課せられる設計制約に依存する。当業者は、各特定のアプリケーションについて、様々な方法で、説明された機能性を実装しうるが、そのような実装の決定は、本開示の範囲からの逸脱を生じさせるものとして解釈されるべきでない。
【００９２】
本開示に関連して説明された様々な実例となる論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理回路、ディスクリートゲートまたはトランジスタロジック、ディスクリートハードウェアコンポーネント、または、本明細書に説明された機能を行うように設計されたこれらの任意の組合せ、で実装または行われうる。汎用プロセッサは、マイクロプロセッサでありうるが、代わりに、プロセッサは、任意の従来のプロセッサ、コントローラ、マイクロコントローラ、またはステートマシンでありうる。プロセッサはまた、コンピューティングデバイスの組み合わせ、例えば、ＤＳＰとマイクロプロセッサとの組み合わせ、複数のマイクロプロセッサ、ＤＳＰコアと併用しての１つ以上のマイクロプロセッサ、または任意の他のこのような構成のもの、として実装されうる。
【００９３】
本開示に関連して説明された方法またはアルゴリズムのステップは、ハードウェアで直接に、プロセッサによって実行されるソフトウェアモジュールで、または２つの組合せで、具現化されうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当該技術分野で周知の任意の他の形式の記憶媒体に存在しうる。例示的な記憶媒体は、プロセッサが記憶媒体から情報を読み出し、記憶媒体に情報を書き込めるように、プロセッサに結合される。代替的に、記憶媒体は、プロセッサと一体化されうる。プロセッサおよび記憶媒体は、ＡＳＩＣ内に内在しうる。ＡＳＩＣは、ユーザ端末内に内在しうる。代替的に、プロセッサおよび記憶媒体は、ユーザ端末に、ディスクリートコンポーネントとして内在しうる。
【００９４】
１つ以上の例示的な設計において、説明された機能は、ハードウェア、ソフトウェア、ファームウェア、またはこれらの任意の組合せで実装されうる。ソフトウェアで実装される場合、機能は、１つ以上の命令またはコードとして、コンピュータ可読媒体に記憶または送信されうる。コンピュータ可読媒体は、記憶媒体および、１つの場所から別の場所へのコンピュータプログラムの転送を容易にする、任意の媒体を含むコンピュータ通信媒体の両方を含む。記憶媒体は、汎用コンピュータまたは専用コンピュータによってアクセスできる任意の利用可能な媒体でありうる。限定ではなく例として、そのようなコンピュータ可読媒体は、ＲＡＭ、ＲＯＭ、ＥＥＰＲＯＭ、ＣＤ−ＲＯＭ、または他の光ディスク記憶装置、磁気ディスク記憶装置、または他の磁気記憶デバイス、または他の媒体であって、命令またはデータ構造の形態で所望のプログラムコード手段を搬送または記憶するために使用されることができ、汎用コンピュータまたは専用コンピュータ、または、汎用プロセッサまたは専用プロセッサによってアクセスされることができる媒体、からなることができる。また、本明細書で使用するディスク（ｄｉｓｋおよびｄｉｓｃ）は、コンパクトディスク（ＣＤ）、レーザディスク、光ディスク、デジタル多目的ディスク（ＤＶＤ）、フロッピー（登録商標）ディスク、およびブルーレイ（登録商標）ディスクを含むが、一般的に、ディスク（ｄｉｓｋ）は、データを磁気的に再生する一方で、ディスク（ｄｉｓｃ）はデータをレーザによって光学的に再生する。上記の組合せもまた、コンピュータ可読媒体の範囲内に含まれるべきである。
【００９５】
本開示のこれまでの説明は、本開示を製造または使用することをいずれの当業者にも可能にするために提供される。本開示に対する様々な変更は、当業者に容易に理解され、本明細書で定義された一般的な原理は、本開示の精神または範囲から逸脱せずに、他の変形例に適用されうる。それゆえに、本開示は、本明細書に示された例および設計に限定されることは意図しておらず、本明細書に開示された原理および新規な特性と一致する最も広い範囲が付与されるべきである。
【図１】
2014511605.tif 000003
【図２】
2014511605.tif 000004
【図３】
2014511605.tif 000005
【図４】
2014511605.tif 000006
【図５】
2014511605.tif 000007
【図６】
2014511605.tif 000008
【図７】
2014511605.tif 000009
【図８】
2014511605.tif 000010
【図９】
2014511605.tif 000011
【図１０】
2014511605.tif 000012
【図１１】
2014511605.tif 000013
【図１２】
2014511605.tif 000014
【国際調査報告】
2014511605.tif 000015
2014511605.tif 000016
2014511605.tif 000017
2014511605.tif 000018
2014511605.tif 000019